(57)【要約】【課題】  優れた断熱保温性能を有し、床下地材の下の床下断熱材を不要にし得るとともに、防音性能にも優れた暖房用床パネルを提供する。【解決手段】  略矩形の板状体１よりなり、複数個連結、集合して暖房用床面を形成し得る暖房用床パネルＡ１において、板状体１の裏面２に凹部３を形成し、この凹部３の底面４に面状ヒータ５ａを敷設するとともに、前記凹部３に真空断熱材６を埋設しているので、床下地材８を経由する熱の放散を効果的に抑制でき、床下地材８の下に床下断熱材を設置しなくても充分な断熱保温性能を確保し得ることとなり、併せて、防音性能の向上をも図ることができることとなる。【選択図】図１
2005214431.tif 000002
【特許請求の範囲】
【請求項１】
略矩形の板状体よりなり、複数個連結、集合して暖房用床面を形成し得る暖房用床パネルにおいて、前記板状体の裏面に凹部を形成し、前記凹部底面に面状ヒータを敷設するとともに、前記凹部に真空断熱材を埋設したことを特徴とする暖房用床パネル。
【請求項２】
前記板状体の裏面に防振部材を有することを特徴とする請求項１記載の暖房用床パネル。
【請求項３】
前記板状体の側面に、隣接して配置される暖房用床パネルと接続可能な実部を有することを特徴とする請求項１または請求項２記載の暖房用床パネル。
【請求項４】
前記板状体の上面に仕上材を載置可能に形成したことを特徴とする請求項１乃至請求項３のいずれかに記載の暖房用床パネル。
【発明の詳細な説明】
【技術分野】
【０００１】
本願発明は、優れた断熱保温性と防音性を有する暖房用床パネルに関するものである。
【背景技術】
【０００２】
従来より、家屋の床を暖房するために種々の暖房用床パネルが、提供されているが、かかる暖房用床パネルとしては、例えば、図５に示すようなものが、一般に知られている（例えば、特開平７−１９８１５３号公報等参照）。ここで、図５は、従来例に係る暖房用床パネルＡ０の構成の要部を概略的に示す断面図である。すなわち、かかる従来例に係る暖房用床パネルＡ０においては、ヒータ部５の裏側に断熱部１４を有し、床下地材８を経由する熱の放散を抑える構造となっている。この場合において、上記断熱部１４には、発泡ウレタンフォームやロックウール等のいわゆる断熱素材が多用されるが、これらを使用しても充分な断熱性能は確保できず、床下地材８の下にさらに床下断熱材１５が必要となるのが通例であり、さらに、高効率の断熱保温構造が待望されていた。また、防音性能についてもさらなる向上が要望されていた。
【特許文献１】特開平７−１９８１５３号公報
【発明の開示】
【発明が解決しようとする課題】
【０００３】
本願発明は、上記背景技術に鑑みて発明されたものであり、その課題は、優れた断熱保温性能を有し、床下地材の下の床下断熱材を不要にし得るとともに、防音性能にも優れた暖房用床パネルを提供することである。
【課題を解決するための手段】
【０００４】
上記課題を解決するために、請求項１に係る発明の暖房用床パネルにあっては、略矩形の板状体よりなり、複数個連結、集合して暖房用床面を形成し得る暖房用床パネルにおいて、前記板状体の裏面に凹部を形成し、前記凹部底面に面状ヒータを敷設するとともに、前記凹部に真空断熱材を埋設したことを特徴とするものである。
【０００５】
請求項２に係る発明の暖房用床パネルにあっては、請求項１記載の暖房用床パネルにおいて、前記板状体の裏面に防振部材を有することを特徴とするものである。
【０００６】
請求項３に係る発明の暖房用床パネルにあっては、請求項１または請求項２記載の暖房用床パネルにおいて、前記板状体の側面に、隣接して配置される暖房用床パネルと接続可能な実部を有することを特徴とするものである。
【０００７】
請求項４に係る発明の暖房用床パネルにあっては、請求項１乃至請求項３のいずれかに記載の暖房用床パネルにおいて、前記板状体の上面に仕上材を載置可能に形成したことを特徴とするものである。
【発明の効果】
【０００８】
本願発明の暖房用床パネルでは、略矩形の板状体よりなり、複数個連結、集合して暖房用床面を形成し得る暖房用床パネルにおいて、前記板状体の裏面に凹部を形成し、前記凹部底面に面状ヒータを敷設するとともに、前記凹部に真空断熱材を埋設しているので、床下地材を経由する熱の放散を効果的に抑制でき、床下地材の下に床下断熱材を設置しなくても充分な断熱保温性能を確保し得ることとなり、併せて、防音性能の向上をも図ることができることとなる。
【発明を実施するための最良の形態】
【０００９】
以下、本願発明の実施形態を図面に基づき説明する。なお、本願発明の暖房用床パネルは、下記の実施形態にのみ限定されるものではなく、本願発明の要旨を逸脱しない範囲内において種々変更を加え得ることは勿論である。ここで、図１は、本願発明の第１の実施形態に係る暖房用床パネルＡ１の構成の要部を概略的に示すもので、（ａ）は断面図、（ｂ）は下面図である。図２は、本願発明の第２の実施形態に係る暖房用床パネルＡ２の構成の要部を概略的に示す断面図である。図３は、本願発明の第３の実施形態に係る暖房用床パネルＡ３の構成の要部を概略的に示す断面図である。図４は、本願発明の第４の実施形態に係る暖房用床パネルＡ４の構成の要部を概略的に示す断面図である。
【００１０】
すなわち、本願発明の第１の実施形態に係る暖房用床パネルＡ１は、略矩形の板状体１よりなり、複数個連結、集合して暖房用床面を形成し得る暖房用床パネルである。さらに、本実施形態に係る暖房用床パネルＡ１は、図１に示すように、前記板状体１の裏面２に凹部３を形成し、前記凹部３の底面４にヒータ部５である面状ヒータ５ａを敷設するとともに、前記凹部３に真空断熱材６を埋設して形成されている。なお、ここでいう真空断熱材６とは、粉末充填材、繊維状充填材、樹脂発泡体等の空隙率の高い芯材を樹脂フィルム等の外袋材に包み込み、外袋材の内部を減圧状態として真空度を高めた構造を有するものをいう。上記真空度に関していえば、例えば、内部気圧を２００Ｐａ程度以下にまで減圧した状態とすれば、気体熱伝導率を実質的に０Ｗ／ｍＫ（２５℃）に近づけることが可能となり、高い断熱保温特性を確保し得ることとなる。かかる真空断熱材としては、例えば、特開平７−５３７５９号公報に開示するもの等が例示可能であり、また、入手可能な真空断熱材としては、「Ｖａｃｕａ（商品名〔松下電器産業（株）製〕）」等が例示可能である。
【００１１】
この結果、本実施形態に係る暖房用床パネルＡ１は、かかる本願発明独自の構成により充分な断熱性能は確保できるため、床下地材８を経由する熱の放散を効果的に抑制でき、床下地材８の下に床下断熱材１５を設置しなくても充分な断熱保温性能を確保し得ることとなる。また、かかる断熱保温特性にすぐれた構造は、防音、遮音特性にも優れる結果、併せて、防音性能の向上をも図ることができる。
【００１２】
一方、本実施形態に係る暖房用床パネルＡ１は、図１に示すように、板状体１の裏面２に防振部材７を有するものである。防振部材７としては、例えば、各種ゴム類等を使用したもの等が例示可能であるが、その構造、形状、材質等には、特に制限はなく、上記課題解決に寄与し得る限りにおいて限定はない。
【００１３】
この結果、本実施形態に係る暖房用床パネルＡ１は、さらなる防振、防音、遮音性能の向上をも図ることができる。
【００１４】
なお、本実施形態に係る暖房用床パネルＡ１では、板状体１は単一部材よりなり、その裏面２に凹部３を形成したものであるが、本願発明に係る暖房用床パネルは、このようなもののみに限定されるものではなく、例えば、図２に示す本願発明の第２の実施形態に係る暖房用床パネルＡ２のように、板状体１が水平部材１７と垂直部材１８を備えるもの等、複数の部材から構成される板状体１を有するものであってもよいことは勿論である。
【００１５】
一方、本願発明の第３の実施形態に係る暖房用床パネルＡ３は、図３に示すように、前記板状体１が、その側面に、隣接して配置される暖房用床パネル（ここでは、暖房用床パネルＡ３）と接続可能な実部（さね部）９（雄実部９ａと雌実部９ｂよりなる）を有する板状体１ａよりなるものである。
【００１６】
この結果、本実施形態に係る暖房用床パネルＡ３は、上記実部９（雄実部９ａと雌実部９ｂ）を介する接続により、簡便且つ確実に複数個連結、集合することができ、容易に暖房用床面を形成し得るので施工を簡便且つ省力的に行うことができることとなる。
【００１７】
また、本願発明の第４の実施形態に係る暖房用床パネルＡ４は、図４に示すように、板状体１の上面に仕上材１０を載置可能に形成したものである。この結果、裏面２に形成した凹部３にヒータ部５である面状ヒータ５ａと真空断熱材６を有する板状体１を備えた床暖房部１１と床面１６を形成する仕上材１０とを分離することができ、仕上材１０の材質、デザイン等の多様なバリエーションに対応することができることとなる。
【図面の簡単な説明】
【００１８】
【図１】本願発明の第１の実施形態に係る暖房用床パネルＡ１の構成の要部を概略的に示すもので、（ａ）は断面図、（ｂ）は下面図である。
【図２】本願発明の第２の実施形態に係る暖房用床パネルＡ２の構成の要部を概略的に示す断面図である。
【図３】本願発明の第３の実施形態に係る暖房用床パネルＡ３の構成の要部を概略的に示す断面図である。
【図４】本願発明の第４の実施形態に係る暖房用床パネルＡ４の構成の要部を概略的に示す断面図である。
【図５】従来例に係る暖房用床パネルＡ０の構成の要部を概略的に示す断面図である。
【符号の説明】
【００１９】
１    板状体
１ａ  板状体
２    裏面（板状体１）
３    凹部（板状体１）
４    底面（凹部３）
５    ヒータ部
５ａ  面状ヒータ
６    真空断熱材
７    防振部材
８    床下地材
９    実部
９ａ  雄実部
９ｂ  雌実部
１０    仕上材
１１    床暖房部
１２    表面材（暖房用床パネルＡ０）
１３    垂直部材（暖房用床パネルＡ０）
１４    断熱部（暖房用床パネルＡ０）
１５    床下断熱材
１６    床面（仕上材１０）
１７    水平部材（板状体１）
１８    垂直部材（板状体１）
Ａ０    暖房用床パネル
Ａ１    暖房用床パネル
Ａ２    暖房用床パネル
Ａ３    暖房用床パネル
Ａ４    暖房用床パネル
【図１】
2005214431.tif 000003
【図２】
2005214431.tif 000004
【図３】
2005214431.tif 000005
【図４】
2005214431.tif 000006
【図５】
2005214431.tif 000007